(57)【要約】【課題】  購入資格があるユーザにのみ所定の商品を販売するとともに、販売した商品の情報を前記購入資格に関連付けて管理ホストにより管理する。【解決手段】  ユーザから購入資格情報を取得する購入資格情報取得手段１１と、ユーザが商品（コンタクトレンズ）を購入するに際して、ユーザの購入資格が有効か否かをチェックする購入資格チェック手段１２と、ユーザの購入資格が有効とされたときにのみ、商品を商品取出し口に移送する商品移送手段１３と、商品取出し口に移送される商品の商品情報Ｆ２を、当該商品に付された商品情報記録媒体Ｍから取得する商品情報取得手段１４と、商品情報取得手段が取得した商品情報Ｆ２を、商品を購入したユーザの購入資格Ｆ１に関連付けて、ネットワークを介して所定の管理ホストに送信する商品情報送信手段１５とを備えたことを特徴とする。【選択図】    図１
2005346451.tif 000002
【特許請求の範囲】
【請求項１】
商品情報記録媒体が付された商品をストックする自動販売機であって、
ユーザから購入資格情報を取得する購入資格情報取得手段と、
前記ユーザが前記商品を購入するに際して、前記購入資格情報取得手段により前記ユーザから取得した前記購入資格情報に基づき、当該ユーザの購入資格が有効か否かをチェックする購入資格チェック手段と、
前記購入資格チェック手段によるチェックの結果、前記ユーザの前記購入資格が有効とされたときにのみ、所定の前記商品を前記自動販売機の商品取出し口に移送する商品移送手段と、
前記商品取出し口に移送される前記商品の前記商品情報を、当該商品に付された前記商品情報記録媒体から取得する商品情報取得手段と、
前記商品情報取得手段が取得した前記商品情報を、当該商品を購入したユーザの前記購入資格に関連付けて、ネットワークを介して所定の管理ホストに送信する商品情報送信手段と、
を備えたことを特徴とする自動販売機。
【請求項２】
前記購入資格チェック手段は、取得した前記購入資格情報を、前記ユーザの前記購入資格が有効か否かの判断を行う前記管理ホストに送信し、当該管理ホストから前記判断の結果を受信し、当該結果を前記チェックの結果とすることを特徴とする請求項１に記載の自動販売機。
【請求項３】
商品情報記録媒体が付された商品をストックする少なくとも１つの自動販売機と、前記各自動販売機により販売した商品を管理する管理ホスト装置とがネットワークを介して接続されてなる自動販売機システムであって、
前記各自動販売機は、
ユーザから購入資格情報を取得する購入資格情報取得手段と、
前記ユーザが前記商品を購入するに際して、前記購入資格情報取得手段により前記ユーザから取得した前記購入資格情報に基づき、当該ユーザの購入資格が有効か否かをチェックする購入資格チェック手段と、
前記購入資格チェック手段によるチェックの結果、前記ユーザの前記購入資格が有効とされたときにのみ、所定の前記商品を前記自動販売機の商品取出し口に移送する商品移送手段と、
前記商品取出し口に移送される前記商品の前記商品情報を、当該商品に付された前記商品情報記録媒体から取得する商品情報取得手段と、
前記商品情報取得手段が取得した前記商品情報を、当該商品を購入したユーザの前記購入資格に関連付けて、前記管理ホストに送信する商品情報送信手段と、
を備え、
前記管理ホストは、
前記商品情報送信手段から送信された前記商品情報を、商品を購入者と関連付けて管理する販売商品管理手段を備えたことを特徴とする自動販売機システム。
【請求項４】
前記管理ホストが、さらに購入資格判断手段を備えた自動販売機システムであって、
前記各自動販売機に備えられた前記購入資格チェック手段は、取得した前記購入資格情報を前記管理ホストに送信し、
前記管理ホストは、前記購入資格チェック手段から前記購入資格情報を受信したときは、前記購入資格判断手段により前記ユーザの前記購入資格が有効か否かの判断を行い、当該判断の結果を前記各自動販売機の前記購入資格チェック手段に送信し、
前記各自動販売機の前記購入資格チェック手段は、前記管理ホストから前記判断の結果を受信したときは、当該結果を前記チェックの結果とすることを特徴とする請求項３に記載の自動販売機システム。
【発明の詳細な説明】
【技術分野】
【０００１】
本発明は、コンタクトレンズ等の自動販売機および自動販売機システムに関し、ユーザの購入資格により販売が制限がされる商品や購入者ごとに仕様や種類が異なる商品について、ユーザが購入資格を有するか否かを判断し、購入資格があるユーザにのみ所定の商品を販売するとともに、販売した商品の情報を前記購入資格に関連付けて管理ホストにより管理することができる自動販売機および自動販売機システムに関する。
【背景技術】
【０００２】
近年、種々の商品が自動販売機により販売されており、通常、需要者は、必要が生じたときに所望の商品を自動販売機から購入することができる。
【発明の開示】
【発明が解決しようとする課題】
【０００３】
ところが、たとえばコンタクトレンズのように、購入者ごとに仕様や種類が異なり、かつ誤った仕様や種類のものを当該購入者が使用した場合には健康に悪影響を与えるような商品では、当該商品の選択を購入者に自由に任せた場合には、重大な問題が生じることがある。
【０００４】
たとえば、コンタクトレンズが自動販売機により販売された場合に、購入者が、過誤により誤った仕様や種類のコンタクトレンズを購入したときには、曲率や度数が合わないために日常生活が不便になることはもちろん、眼に疾病が生じたり、交通事故の危険が極めて高くなる。
【０００５】
本発明の目的は、コンタクトレンズ等、ユーザの購入資格により販売が制限がされる商品や購入者ごとに仕様や種類が異なる商品について、ユーザが購入資格を有するか否かを判断し、購入資格があるユーザにのみ所定の商品を販売するとともに、販売した商品の情報を前記購入資格に関連付けて管理ホストにより管理することができる自動販売機および自動販売機システムを提供することにある。
【課題を解決するための手段】
【０００６】
本発明の自動販売機は、商品情報記録媒体が付された商品をストックするものであって、
ユーザから購入資格情報を取得する購入資格情報取得手段と、
前記ユーザが前記商品を購入するに際して、前記購入資格情報取得手段により前記ユーザから取得した前記購入資格情報に基づき、当該ユーザの購入資格が有効か否かをチェックする購入資格チェック手段と、
前記購入資格チェック手段によるチェックの結果、前記ユーザの前記購入資格が有効とされたときにのみ、所定の前記商品を前記自動販売機の商品取出し口に移送する商品移送手段と、
前記商品取出し口に移送される前記商品の前記商品情報を、当該商品に付された前記商品情報記録媒体から取得する商品情報取得手段と、
前記商品情報取得手段が取得した前記商品情報を、当該商品を購入したユーザの前記購入資格に関連付けて、ネットワークを介して所定の管理ホストに送信する商品情報送信手段と、
を備えたことを特徴とする。
【０００７】
本発明の自動販売機では、前記所定の商品は、ユーザがキーボードにより指定することができ、また、たとえば所定の会員カードがカードリーダにセットされた場合に、当該カードに登録されている商品のみを販売の対象とする（ユーザは、登録されていない商品は購入できない）ようにもできる。
【０００８】
また、本発明の自動販売機は、前記ユーザの購入資格が有効であるとされる場合に、前記管理ホストから購入可能な商品の情報を受信し、ユーザに当該商品のみを販売するようしてもよい。
【０００９】
本発明の自動販売機では、前記購入資格チェック手段は、取得した前記購入資格情報を、前記ユーザの前記購入資格が有効か否かの判断を行う前記管理ホストに送信するように構成でき、当該管理ホストから前記判断の結果を受信したときは、当該結果を前記チェックの結果とすることができる。
【００１０】
本発明の自動販売機システムは、商品情報記録媒体が付された商品をストックする少なくとも１つの自動販売機と、前記各自動販売機により販売した商品を管理する管理ホスト装置とがネットワークを介して接続されてなるものであって、
前記各自動販売機は、
ユーザから購入資格情報を取得する購入資格情報取得手段と、
前記ユーザが前記商品を購入するに際して、前記購入資格情報取得手段により前記ユーザから取得した前記購入資格情報に基づき、当該ユーザの購入資格が有効か否かをチェックする購入資格チェック手段と、
前記購入資格チェック手段によるチェックの結果、前記ユーザの前記購入資格が有効とされたときにのみ、所定の前記商品を前記自動販売機の商品取出し口に移送する商品移送手段と、
前記商品取出し口に移送される前記商品の前記商品情報を、当該商品に付された前記商品情報記録媒体から取得する商品情報取得手段と、
前記商品情報取得手段が取得した前記商品情報を、当該商品を購入したユーザの前記購入資格に関連付けて、前記管理ホストに送信する商品情報送信手段と、
を備え、
前記管理ホストは、
前記商品情報送信手段から送信された前記商品情報を、商品を購入者と関連付けて管理する販売商品管理手段を備えたことを特徴とする。
【００１１】
本発明の自動販売機システムでも、前記所定の商品は、ユーザがキーボードにより指定することができ、また、たとえば所定の会員カードがカードリーダにセットされた場合に、当該カードに登録されている商品のみを販売の対象とする（ユーザは、登録されていない商品は購入できない）ようにもできる。また、本発明の自動販売機システムでは、前記ユーザの購入資格が有効であるとされる場合に、前記管理ホストから購入可能な商品の情報を受信し、ユーザに当該商品のみを販売するようしてもよい。
【００１２】
本発明の自動販売機システムは、前記管理ホストが、さらに購入資格判断手段を備えたものであって、
前記各自動販売機に備えられた前記購入資格チェック手段は、取得した前記購入資格情報を前記管理ホストに送信し、
前記管理ホストは、前記購入資格チェック手段から前記購入資格情報を受信したときは、前記購入資格判断手段により前記ユーザの前記購入資格が有効か否かの判断を行い、当該判断の結果を前記各自動販売機の前記購入資格チェック手段に送信し、
前記各自動販売機の前記購入資格チェック手段は、前記管理ホストから前記判断の結果を受信したときは、当該結果を前記チェックの結果とすることができる。
【発明の効果】
【００１３】
本発明によれば、たとえばコンタクトレンズ等の、ユーザの購入資格により販売が制限がされる商品や購入者ごとに仕様や種類が異なる商品について、ユーザが購入資格を有するか否かを判断し、購入資格があるユーザにのみ所定の商品を販売することができ、また販売した商品の情報を前記購入資格に関連付けて管理ホストにより管理することができる。
【発明を実施するための最良の形態】
【００１４】
本発明の自動販売機および自動販売機システムの実施形態を図１から図６により説明する。
【００１５】
図１は、コンタクトレンズの自動販売機１と、ネットワークＮＥＴを介して接続された管理ホスト２とを示す機能ブロック図である。図１では、自動販売機はネットワークＮＥＴに少なくとも１つ接続されている（通常は、複数が接続される）。なお、自動販売機１には、多数種類の商品（コンタクトレンズパッケージＧ）がストックされている。具体的には、１週間使い捨て仕様のコンタクトレンズパッケージＧには、１ヶ月半分のレンズがパックされており、２週間使い捨て仕様のコンタクトレンズパッケージＧには３ヶ月分のレンズがパックされており、１日使い捨て仕様のコンタクトレンズパッケージＧには１ヶ月分のレンズがパックされている。
【００１６】
自動販売機１は、購入資格情報取得手段１１と、購入資格チェック手段１２と、商品移送手段１３と、商品情報取得手段１４と、商品情報送信手段１５とを備えている。また、管理ホスト２は、購入資格判断手段２１と、販売商品管理手段２２とを備えている。
【００１７】
購入資格情報取得手段１１は、ユーザインタフェース５１（図３，図４参照）の一部をなし、ユーザから購入資格情報Ｆ１を取得する。購入資格情報Ｆ１は、コンタクトレンズ作成の際にユーザに付与した暗証番号等の情報、またはコンタクトレンズ作成の際にユーザから取得した虹彩、指紋等の生体情報であり、購入資格情報取得手段１１は、キーボード，カードリーダ，赤外線通信装置，虹彩取得カメラ，指紋照合装置等とすることができる。
【００１８】
購入資格情報取得手段１１がキーボードである場合には、購入資格情報Ｆ１は入力された暗証番号である。購入資格情報取得手段１１がカードリーダである場合には、購入資格情報Ｆ１は所定の会員カードから読み取られたカードＩＤである。購入資格情報取得手段１１が赤外線通信装置である場合には、購入資格情報Ｆ１は携帯電話等に搭載された赤外線通信装置から送信された赤外線情報（認証ＩＤ等）である。購入資格情報取得手段１１が指紋照合装置である場合には、購入資格情報Ｆ１はユーザの指紋情報である。購入資格情報取得手段１１が虹彩取得カメラである場合には、購入資格情報Ｆ１はユーザの虹彩情報である。
【００１９】
購入資格チェック手段１２は、ユーザがコンタクトレンズパッケージＧを購入するに際して、購入資格情報取得手段１１によりユーザから取得した購入資格情報Ｆ１に基づき、ユーザの購入資格が有効か否かをチェックする。
【００２０】
購入資格チェック手段１２によるチェックの基礎となる暗証番号等の情報や、ユーザの生体情報は、自動販売機内に記憶しておくこともできるが、本実施形態では、ユーザの生体情報は管理ホスト２の購入資格判断手段２１に記憶されている。
【００２１】
購入資格チェック手段１２は、購入資格情報取得手段１１により取得した購入資格情報Ｆ１をネットワークＮＥＴを介して、管理ホスト２の購入資格判断手段２１に送信する。購入資格判断手段２１は、購入資格情報Ｆ１に基づき、ユーザの購入資格が有効か否かを判断し判断結果Ｒを購入資格チェック手段１２に送信する。
【００２２】
購入資格チェック手段１２は、この判断結果Ｒに基づきユーザの購入資格が有効か否かをチェックする。すなわち、購入資格チェック手段１２は、管理ホスト２の購入資格判断手段２１から受信した判断結果Ｒをチェックの結果とする。
【００２３】
商品移送手段１３は、購入資格チェック手段１２がユーザの購入資格が有効であると判断したときにのみ、所定のコンタクトレンズパッケージＧを商品取出し口５２（図３参照）に移送する。すなわち、商品移送手段１３は、ユーザインタフェース５１（図３，図４参照）から購入商品情報Ｓを入力し、当該購入商品情報ＳにかかるコンタクトレンズパッケージＧを商品取出し口５２に移送する。
【００２４】
購入資格チェック手段１２は、ユーザの購入資格が有効でないと判断したときは、ユーザインタフェース５１の表示装置[ディスプレイ５１２（図４参照）]に、購入資格がない旨の表示を行うことができる。また、通常、コンタクトレンズの購入には、医師による処方箋が必要とされるが、購入資格チェック手段１２は、購入資格のチェックに際して、処方箋が作成されてから相当期間経過している場合、処方箋の有効期限の満期が近づいている場合、あるいは処方箋の有効期限が切れている場合等には、ディスプレイ５１２にその旨の警告を表示することができると共にユーザに郵便、電子メール等を用いて適宜の通告を発するようにしても良い。
【００２５】
商品情報取得手段１４は、商品取出し口５２に移送されるコンタクトレンズパッケージＧの商品情報Ｆ２を、当該パッケージＧに付された商品情報記録媒体Ｍから取得する。商品情報記録媒体Ｍは、本実施形態では二次元バーコードであり、したがって商品情報取得手段１４は二次元バーコードリーダである。商品情報記録媒体Ｍは、一次元バーコードであってもよく、この場合の商品情報取得手段１４は一次元バーコードリーダである。また、商品情報記録媒体Ｍはバーコード以外の手段、たとえばＩＣタグとすることができ、この場合には商品情報取得手段１４はタグ情報読み取り装置である。
【００２６】
商品情報Ｆ２は、たとえば、商品名、製造番号、製造ロット、製造年月日、保証期間等のうちから適宜選ばれる情報である。
【００２７】
商品情報送信手段１５は、商品情報取得手段１４が取得した商品情報Ｆ２を、コンタクトレンズパッケージＧを購入したユーザの購入資格に関連付けて、ネットワーク（ＮＥＴ）を介して管理ホスト２に送信（すなわち販売商品管理手段２２に送信）する。
【００２８】
具体的には、商品情報Ｆ２を、購入資格情報Ｆ１とともに販売商品管理手段２２に送信してもよい。また、管理ホスト２に商品情報Ｆ２を送信する時点ではすでに、購入者の会員情報（カードＩＤ等）がわかっているので、購入資格チェック手段１２が、購入資格判断手段２１から購入資格が有効であるとの判断結果Ｒを受信すると同時に購入者の会員情報を受信しておき、商品情報Ｆ２を、この会員情報ともに販売商品管理手段２２に送信してもよい。
【００２９】
管理ホスト２は（すなわち、管理ホスト２の販売商品管理手段２２は）、購入資格チェック手段１２から購入資格情報Ｆ１を受信したときは、購入資格情報Ｆ１が有効か否かの判断を行い、判断結果Ｒを購入資格チェック手段１２に送信するとともに、受信した商品情報送信手段１５からの商品情報Ｆ２を当該商品を購入した者（ユーザ）の購入資格Ｆ１に関連付けて保存することができる。
【００３０】
販売商品管理手段２２は、購入資格者に対応させて当該購入資格者が購入した商品を記憶しておき、たとえばコンタクトレンズを作成し直すような場合や、定期検診等に際して参照することができる。具体的には、販売商品管理手段２２は、どのユーザに、何月何日に何個販売したかの情報（「販売情報」と言う）が所定の記憶装置（たとえば、図２の磁気記録装置４４）に記録することができる。したがって、管理ホスト２では（すなわち、コンタクトレンズ販売者は）、この販売情報を参照することで、コンタクトレンズパッケージＧのユーザによる購入量が不適正（過剰または不足）である場合には、コンタクトレン
ズがイレギュラーな態様で使用されていることを推察することができ、
ユーザに郵便、電子メール等を用いて適宜の通告を発することができる。
【００３１】
以下、図１に示した自動販売機１を具体化したハードウェア構成を説明する。
図２は、図１に示した自動販売機および自動販売機システムのハードウェアブロック図である。
図２において、自動販売機１は、ＣＰＵ３１と、ＲＯＭ３２と、ＲＡＭ３３と、ユーザインタフェース３４と、商品移送機構３５と、二次元バーコードリーダ３６と、通信装置３７とを備えている。
また、管理ホスト２は、ＣＰＵ４１と、ＲＯＭ４２と、ＲＡＭ４３と、磁気記録装置４４と、通信装置４５とを備えている。
【００３２】
まず、自動販売機１の構成を説明ずる。
ＣＰＵ３１は、ＲＯＭ３２やＲＡＭ３３内のプログラムを実行し、自動販売機１全体を制御する。
ＲＯＭ３２には、自動販売機１の基本プログラム（キーボードドライバ、ディスプレイドライバ、カードリーダドライバ、指紋読取り装置ドライバ、現金受渡し装置ドライバ、汎用通信プログラム）の他、購入資格情報取得プログラム、購入資格チェックプログラム、商品移送プログラム、商品情報取得プログラム、商品情報送信プログラムが格納されている。また、ＲＯＭ３２には、各トレイ５４（図５（Ａ）〜（Ｃ）参照）などの位置に、どの種類のコンタクトレンズのパッケージが収容されているかの情報（収容位置情報）が格納されている。
【００３３】
ＲＡＭ３３はＣＰＵ３１の作業領域等として使用される他、ユーザインタフェース３４との間でやりとりされる情報（後述する表示装置３４２に表示する情報、後述する指紋読取り装置３４３から読み取った指紋情報、後述するカードリーダ３４４から読み取ったカードＩＤ）、後述する通信装置３７が通信する際の通信情報等、一時的な情報の保存領域としても使用される。
【００３４】
ユーザインタフェース３４は、入力装置３４１と、表示装置３４２と、指紋読取り装置３４３と、カードリーダ３４４と、現金受渡し装置３４５とからなる。
【００３５】
商品移送機構３５は、モータ等から構成される。
二次元バーコードリーダ３６は、コンタクトレンズパッケージＧに付された商品情報記録媒体Ｍを光学的に読み取る。
【００３６】
通信装置３７は、購入資格情報Ｆ１が入力装置３４１から入力される暗証番号である場合には当該暗証番号を、購入資格情報Ｆ１が指紋読取り装置３４３により読み取られる指紋情報である場合には当該指紋情報を、購入資格情報Ｆ１がカードリーダ３４４から読み取られたカードＩＤである場合には当該カードＩＤを、ネットワークＮＥＴを介して管理ホスト２の通信装置４５に送信する。また、二次元バーコードリーダ３６により読み取った商品情報F２を、指紋読取り装置３４３が取得した購入資格情報Ｆ１に関連付けて、ネットワークNETを介して管理ホスト２の通信装置４５に送信する。
【００３７】
ＲＯＭ３２に格納されている購入資格情報取得プログラムが、入力装置３４１から暗証番号を取得する場合に、当該プログラムを実行するＣＰＵ３１と入力装置３４１とが図１の購入資格情報取得手段１１を構成する。また、購入資格情報取得プログラムが、指紋読取り装置３４３から指紋情報を取得する場合には当該プログラムを実行するＣＰＵ３１と指紋読取り装置３４３とが図１の購入資格情報取得手段１１を構成する。さらに、購入資格情報取得プログラムが、カードリーダ３４４からカードＩＤを取得する場合には当該プログラムを実行するＣＰＵ３１とカードリーダ３４４とが図１の購入資格情報取得手段１１を構成する。
【００３８】
ＲＯＭ３２に格納されている購入資格チェックプログラムは、通信装置３７から、購入資格情報Ｆ１を管理ホスト２の通信装置４５に送信し、管理ホスト２の通信装置４５から判断結果Ｒを受信し、この判断結果Ｒをチェックの結果とする。したがって、購入資格チェックプログラムを実行するＣＰＵ３１と通信装置３７が図１の購入資格チェック手段１２を構成する。
【００３９】
ＲＯＭ３２に格納されている商品移送プログラムは、商品移送機構３５を制御する。ＲＯＭ３２に格納されている収容位置情報を参照して、ユーザが指定した購入商品情報Ｓ（図１参照）にかかるコンタクトレンズパッケージＧを所定位置に移動して、商品情報取得プログラムによる商品情報Ｆ２の情報の取得が行われた後に、当該コンタクトレンズパッケージＧを商品取出し口５２に移送する。商品移送プログラムを実行するＣＰＵ３１と商品移送機構３５とが図１の商品移送手段１３を構成する。
【００４０】
ＲＯＭ３２に格納されている商品情報取得プログラムは、商品移送機構３５を制御する。商品移送プログラムを実行するＣＰＵ３１と商品移送機構３５とが図１の商品情報取得手段１４を構成する。
【００４１】
ＲＯＭ３２に格納されている商品情報送信プログラムは、通信装置３７から、商品情報Ｆ２を管理ホスト２の通信装置４５に送信する。商品情報送信プログラムを実行するＣＰＵ３１と通信装置３７とが図１の商品情報送信手段１５を構成する。
【００４２】
つぎに、管理ホスト２の構成を説明ずる。
ＣＰＵ４１は、ＲＯＭ４２やＲＡＭ４３内のプログラムを実行し、管理ホスト２全体を制御する。
【００４３】
ＲＯＭ４２には、管理ホスト２の基本プログラム（各種ドライバ、汎用通信プログラム等）の他、購入資格判断プログラム、販売商品管理プログラムが格納されている。
【００４４】
ＲＡＭ４３はＣＰＵ４１の作業領域等として使用される他、通信装置４５が通信する際の通信情報等、一時的な情報の保存領域としても使用される。
【００４５】
磁気記録装置４４には、購入資格を有する者の氏名、暗証番号（または、指紋情報、会員カードのカードＩＤ）と、販売商品情報Ｆとがデータベース化されて格納されている。
【００４６】
通信装置４５は、通信装置３７から送信される当該暗証番号、指紋情報カードのカードＩＤを、ネットワークＮＥＴを介して自動販売機１の通信装置３７から受信する。
【００４７】
ＲＯＭ４２に格納されている購入資格判断プログラムは、磁気記録装置４４に格納されている購入資格を有する暗証番号等と、販売商品情報Ｆとを比較する。したがって、購入資格判断プログラムを実行するＣＰＵ４１が図１の購入資格判断手段２１を構成する。
【００４８】
ＲＯＭ４２に格納されている販売商品管理プログラムは、適宜、磁気記録装置４４に格納されている購入資格者が購入した商品を抽出するもので、販売商品管理プログラムを実行するＣＰＵ４１が図１の販売商品管理手段２２を構成する。
【００４９】
図３は、図２に示した自動販売機１の外観説明図である。図３において、自動販売機１の正面には、ユーザインタフェース５１と、商品取出し口５２と、サンプル表示部ＤＩＳＰが設けられている。
【００５０】
図４はユーザインタフェース５１の詳細を示す図であり、ユーザ（購入者）は、このユーザインタフェース５１を操作することで、購入資格を有するときには、たとえば入力装置５１１を用いて商品を指定し、現金受渡し装置５１５に現金を入金することで所望のコンタクトレンズパッケージＧを購入することができる。
【００５１】
図４において、ユーザインタフェース５１は、図２のユーザインタフェース３４に対応しており、入力装置５１１と、表示装置５１２と、指紋読取り装置５１３と、カードリーダ５１４と、現金受渡し装置５１５とを備えている。これら入力装置５１１、表示装置５１２、指紋読取り装置５１３、カードリーダ５１４、現金受渡し装置５１５は図２の入力装置３４１、表示装置３４２、指紋読取り装置３４３、カードリーダ３４４、現金受渡し装置３４５に対応する。
【００５２】
図５は、図３に示した自動販売機１の内部の簡略図であり、（Ａ）は正面説明図、（Ｂ）は右側面説明図、（Ｃ）は上面説明図である。図５（Ａ），（Ｂ），（Ｃ）に示すように、多数のコンタクトレンズパッケージＧが複数のトレイ５４にストックされている。このトレイ５４は、周回ガイド５５（図５（Ｂ）には示していない）に取り付けられており、図示しない駆動機構により各トレイ５４は、自動販売機１の内部で周回ガイド５５に沿って周回できる。図５（Ｂ）では周回の方向を一方向の矢印で示してあるが、トレイ５４は、双方向に周回できるようにしてもよい。
【００５３】
自動販売機１の上部には、ピックアップ機構５３が設けられている。ピックアップ機構５３は、ｘ方向ガイド５３１と、ｙ方向ガイド５３２と、アクチュエータ移動機構部５３３と、一対のガイド移動機構部５３４（図５（Ａ）には示していない）と、真空ピックアップ５３５（図５（Ｃ）には示していない）と、アクチュエータ５３６とを備えている。なお、ピックアップ機構５３、トレイ５４、周回ガイド５５等が図２の商品移送機構３５に対応する。
【００５４】
ｙ方向ガイド５３２には、このｙ方向ガイド５３２に沿って移動するアクチュエータ移動機構部５３３が設けられている。アクチュエータ５３６は、アクチュエータ移動機構部５３３に搭載されている。
【００５５】
また、ｘ方向ガイド５３１には、ガイド移動機構部５３４が設けられている。ガイド移動機構部５３４は、ｙ方向ガイド５３２をｘ方向ガイド５３１に直角な方向に維持した状態でｘ方向に移動させることができる。
【００５６】
アクチュエータ５３６の下部先端には真空ピックアップ５３５が設けられている。アクチュエータ移動機構部５３３と、ガイド移動機構部５３４とを駆動させることで、真空ピックアップ５３５を、最上段に位置するトレイ５４上の所望のコンタクトレンズパッケージＧの上部に移動させることができる。
【００５７】
真空ピックアップ５３５は、所望のコンタクトレンズパッケージＧの真上に位置したときに、アクチュエータ５３６により引き下げられ、当該コンタクトレンズパッケージＧを吸着によりピックアップすることができる。真空ピックアップ５３５は、コンタクトレンズパッケージＧを吸着していないときには、図５（Ａ），（Ｂ）で点線で示すようにアクチュエータ５３６により上方に引き上げられている。
【００５８】
アクチュエータ移動機構部５３３とガイド移動機構部５３４とは、ピックアップしたコンタクトレンズパッケージＧを商品情報取得テーブル５６に移動させ、当該商品情報取得テーブル５６に載置することができる。
本実施形態では、図６（Ａ），（Ｂ）に示すように、商品情報取得テーブル５６には、二次元バーコードリーダ５７（図２の二次元バーコードリーダ３６に対応する）が設けられており、載置されたコンタクトレンズパッケージＧに付された商品情報記録媒体Ｍ（二次元バーコード）を読み取ることができる。なお、図６（Ｃ）にコンタクトレンズパッケージＧおよび、これに付された商品情報記録媒体Ｍの例を示す。
【００５９】
アクチュエータ移動機構部５３３と一対のガイド移動機構部５３４は、二次元バーコードリーダ５７による商品情報記録媒体Ｍの読取りが終了すると、真空ピックアップ５３５は吸着部アクチュエータ５３６により引き下げられ、再びコンタクトレンズパッケージＧを吸着によりピックアップして移送路５７のシュート口Ｅに移動させることができる。真空ピックアップ５３５は、シュート口Ｅの位置で真空吸引を解除することで、コンタクトレンズパッケージＧを商品取出し口５２に送り出すことができる。
【００６０】
上記実施形態において、購入資格情報Ｆ１を虹彩情報とするときには、図３のユーザインタフェース５１には虹彩取得カメラが設けられる。また、購入資格情報Ｆ１を赤外線情報とするときには、図３のユーザインタフェース５１には赤外線通信装置（赤外線通信センサ）が設けられる。
【００６１】
上記実施形態では、購入資格チェック手段１２（図１参照）は、購入資格情報取得手段１１により取得した購入資格情報Ｆ１をネットワークＮＥＴを介して、管理ホスト２の購入資格判断手段２１に送信し、購入資格判断手段２１から受信した判断結果Ｒをチェックの結果としたが、自動販売機１内に購入資格判断手段２１と同様の判断ができる手段を設けておき、当該手段により判断結果Ｒを生成するようにしてもよい。この場合、管理ホスト２は、一定期間ごと、または適時に、自動販売機１内に記憶されたチェックの基礎となる暗証番号、ユーザの生体情報等をオンラインで更新することができる。
【００６２】
上記実施形態では、商品を購入するときは現金現金受渡し装置３４５に現金を入金したが、クレジットカード等により商品を購入するようにしてもよい。
【００６３】
入力装置３４１（図２参照）を用いて商品を指定するようにしたが、ユーザが購入できるコンタクトレンズが１種類に特定される場合には、商品を指定することなく商品を販売することができる。
【００６４】
上記の実施形態では、自動販売機が販売する商品としてコンタクトレンズを例に説明したが、ユーザごとに仕様や種類が異なるものであれば、本発明は、コンタクトレンズ以外の他の医薬品・医薬部外品や飲料水、食品等にも適用できる。
【図面の簡単な説明】
【００６５】
【図１】本発明の一実施形態を示す機能ブロック図である。
【図２】図１に示した自動販売機および管理ホストのハードウェアブロックである。
【図３】図２に示した自動販売機の外観説明図である。
【図４】図３の自動販売機に備えられたユーザインタフェースの詳細を示す図である。
【図５】図３に示した自動販売機の内部の簡略図であり、（Ａ）は正面説明図、（Ｂ）は右側面説明図、（Ｃ）は上面説明図である。
【図６】（Ａ），（Ｂ）は、商品情報取得テーブルに二次元バーコードリーダが設けられ、載置された商品に付された商品情報記録媒体Ｍ（二次元バーコード）を読み取る様子を示す図であり、（Ｃ）は商品に付された商品情報記録媒体Ｍの例を示す図である。
【符号の説明】
【００６６】
１  自動販売機
２  管理ホスト
１１  購入資格情報取得手段
１２  購入資格チェック手段
１３  商品移送手段
１４  商品情報取得手段
１５  商品情報送信手段
２１  購入資格判断手段
２２  販売商品管理手段
３１，４１  ＣＰＵ
３２，４２  ＲＯＭ
３３，４３  ＲＡＭ
３４，５１  ユーザインタフェース
３５  商品移送機構
３６  二次元バーコードリーダ
３７，４５  通信装置
４４  磁気記録装置
５２  商品取出し口
５３  ピックアップ機構
５４  トレイ
５５  周回ガイド
３４１，５１１  入力装置
３４２，５１２  表示装置
３４３，５１３  指紋読取り装置
３４４，５１４  カードリーダ
３４５，５１５  現金受渡し装置
５３１  ｘ方向ガイド
５３２  ｙ方向ガイド
５３３  アクチュエータ移動機構部
５３４  ガイド移動機構部
５３５  真空ピックアップ
５３６  アクチュエータ
ＤＩＳＰ  サンプル表示部
Ｅ  シュート口
Ｆ１  購入資格情報
Ｆ２  販売商品情報
Ｇ  コンタクトレンズパッケージ
Ｈ  商品取出し口
ＮＥＴ  ネットワーク
Ｓ  購入商品情報
【図１】
2005346451.tif 000003
【図２】
2005346451.tif 000004
【図３】
2005346451.tif 000005
【図４】
2005346451.tif 000006
【図５】
2005346451.tif 000007
【図６】
2005346451.tif 000008